(57)【要約】【課題】各種電子機器の遠隔操作に用いられるリモコン送信機に関し、組立が容易で安価なものを提供することを目的とする。【解決手段】弾性を有する可動接点体１２に、水晶発振子６Ｃに当接する保持部１２Ｃを形成してリモコン送信機を構成することによって、接着剤等で水晶発振子６Ｃを配線基板２に固着する必要がないため、組立が容易で安価なリモコン送信機を得ることができ、テレビやビデオ、エアコン等の各種電子機器の遠隔操作用として有用である。【選択図】図１
2005110093.tif 000002
【特許請求の範囲】
【請求項１】
弾性を有する可動接点体と、この可動接点体を載置した配線基板と、この配線基板上に装着された水晶発振子と、上記可動接点体の操作に応じてリモコン信号を送信する制御手段からなり、上記可動接点体に上記水晶発振子に当接する保持部を形成したリモコン送信機。
【請求項２】
可動接点体や配線基板を収納するケースを設けると共に、このケース下面に上記可動接点体の保持部を押圧する突出部を形成した請求項１記載のリモコン送信機。
【発明の詳細な説明】
【技術分野】
【０００１】
本発明は、テレビやビデオ、エアコン等の各種電子機器の遠隔操作に用いられるリモコン送信機に関するものである。
【背景技術】
【０００２】
近年、テレビやビデオ、エアコン等の各種電子機器の多様化や低価格化が進むなか、これらを遠隔操作するリモコン送信機においても、操作が確実でより安価なものが求められている。
【０００３】
このような従来のリモコン送信機について、図３及び図４を用いて説明する。
【０００４】
図３は従来のリモコン送信機の断面図、図４は同分解斜視図であり、同図において、１は略箱状で絶縁樹脂製のケースで、上面には開口孔１Ａや複数の貫通孔１Ｂが設けられている。
【０００５】
また、２は上下面に複数の配線パターン（図示せず）が形成された配線基板で、上面には導電部２Ａや複数の固定接点２Ｂが形成されると共に、発光ダイオード６Ａやマイコン６Ｂ、水晶発振子６Ｃ等の電子部品が実装されて、リモコン信号を送信する制御回路６が形成されている。
【０００６】
なお、タイマー機能や時刻表示等に用いられる水晶発振子６Ｃは、薄板製の二枚の水晶とこれらを接続するフェラメントから形成され、比較的強度の弱い構成となっており、落下等の衝撃による破損防止のため、シリコン系等の接着剤７によって配線基板２に固着されている。
【０００７】
そして、３は液晶等の表示素子、４は導電層と絶縁層が積層された弾性接続体で、この表示素子３上面の表示部がケース１の開口孔１Ａから露出すると共に、弾性接続体４が上下方向にやや撓んだ状態で配線基板２と表示素子３の間に装着され、上下端が導電部２Ａと表示素子３下面の電極（図示せず）に弾接して、導電部２Ａと表示素子３が電気的に接続されている。
【０００８】
さらに、５はケース１内に収納されたゴム等の可動接点体で、配線基板２上に載置されると共に、上面にはドーム状の複数の押圧部５Ｂが形成され、この押圧部５Ｂがケース１の貫通孔１Ｂから上方へ突出している。
【０００９】
そして、この可動接点体５の押圧部５Ｂ下面には、配線基板２の固定接点２Ｂと所定の間隙を空けて対向する可動接点５Ａが形成されると共に、配線基板２がネジ等によってケース１に固着されて、リモコン送信機が構成されている。
【００１０】
以上の構成において、このリモコン送信機を電子機器に向け、例えば、電源用や音量切換用等の所定の押圧部５Ｂを押圧操作すると、これらに対応した赤外線のリモコン信号が制御回路６から電子機器へ送信され、これによって電子機器の電源の入／切や音量の増減等が遠隔操作によって行なわれる。
【００１１】
また、運転や録画等の開始時間や終了時間を設定する場合には、所定の押圧部５Ｂを押圧操作して表示素子３上に時間を設定し、この後、これらの時間をリモコン信号として電子機器へ送信し記憶させることによって、所定の時間になると電子機器の運転や録画等が開始されたり、終了するように構成されているものであった。
【００１２】
なお、この出願の発明に関連する先行技術文献情報としては、例えば、特許文献１が知られている。
【特許文献１】特開平３−１７３１９８号公報
【発明の開示】
【発明が解決しようとする課題】
【００１３】
しかしながら、上記従来のリモコン送信機においては、タイマー機能や時刻表示等に用いられる水晶発振子６Ｃを、破損防止のため接着剤７によって配線基板２に固着しているため、接着剤７の塗布や固化等の組立に時間を要し、リモコン送信機が高価なものとなるという課題があった。
【００１４】
本発明は、このような従来の課題を解決するものであり、組立が容易で安価なリモコン送信機を提供することを目的とする。
【課題を解決するための手段】
【００１５】
上記目的を達成するために本発明は、以下の構成を有するものである。
【００１６】
本発明の請求項１に記載の発明は、弾性を有する可動接点体に、水晶発振子に当接する保持部を形成してリモコン送信機を構成したものであり、接着剤等によって水晶発振子を配線基板に固着する必要がないため、組立が容易で安価なリモコン送信機を得ることができるという作用を有する。
【００１７】
請求項２に記載の発明は、請求項１記載の発明において、可動接点体や配線基板を収納するケースを設けると共に、このケース下面に可動接点体の保持部を押圧する突出部を形成したものであり、突出部によって水晶発振子の保持を確実に行なうことができるという作用を有する。
【発明の効果】
【００１８】
以上のように本発明によれば、操作が確実で安価なリモコン送信機を実現することができるという有利な効果が得られる。
【発明を実施するための最良の形態】
【００１９】
以下、本発明の実施の形態について、図１及び図２を用いて説明する。
【００２０】
なお、背景技術の項で説明した構成と同一構成の部分には同一符号を付して、詳細な説明を省略化する。
【００２１】
（実施の形態）
図１は本発明の一実施の形態によるリモコン送信機の断面図、図２は同分解斜視図であり、同図において、１１は略箱状でポリスチレンやＡＢＳ等の絶縁樹脂製のケースで、上面には開口孔１１Ａや複数の貫通孔１１Ｂが設けられている。
【００２２】
また、２は紙フェノールやガラス入りエポキシ等の配線基板で、上下面に銅等によって複数の配線パターン（図示せず）が形成されると共に、上面には導電部２Ａや複数の固定接点２Ｂが形成され、発光ダイオード６Ａやマイコン６Ｂ、水晶発振子６Ｃ等の電子部品が実装されて、リモコン信号を送信する制御回路６が形成されている。
【００２３】
そして、３は液晶等の表示素子、４はカーボン等の導電層とシリコンゴム等の絶縁層が積層された弾性接続体で、この表示素子３上面の表示部がケース１１の開口孔１１Ａから露出すると共に、弾性接続体４が上下方向にやや撓んだ状態で配線基板２と表示素子３の間に装着され、上下端が導電部２Ａと表示素子３下面の電極（図示せず）に弾接して、導電部２Ａと表示素子３が電気的に接続されている。
【００２４】
また、１２はケース１１内に収納されたシリコンゴムやエラストマー等の弾性を有する可動接点体で、配線基板２上に配置されると共に、上面にはドーム状の複数の押圧部１２Ｂが形成され、この押圧部１２Ｂがケース１１の貫通孔１１Ｂから上方へ突出している。
【００２５】
さらに、この可動接点体１２の押圧部１２Ｂ下面には、配線基板２の固定接点２Ｂと所定の間隙を空けて対向する可動接点１２Ａが形成されると共に、端部には水晶発振子６Ｃを覆い、内面が水晶発振子６Ｃに当接する溝状の保持部１２Ｃが形成されている。
【００２６】
そして、配線基板２がネジ等によってケース１１に固着されると共に、保持部１２Ｃ上方に設けられたケース１１下面の突出部１１Ｃが、保持部１２Ｃを押圧し水晶発振子６Ｃを配線基板２上面に弾接させて、リモコン送信機が構成されている。
【００２７】
つまり、薄板製の水晶とフェラメントから形成され比較的強度の弱い水晶発振子６Ｃは、突出部１１Ｃに押圧された保持部１２Ｃによって、配線基板２上面との間で挟持され、落下等の衝撃が加わった場合にも破損等が生じないように構成されている。
【００２８】
また、接着剤等を用いず、配線基板２上へ可動接点体１２を載置する際に、保持部１２Ｃで水晶発振子６Ｃを覆うだけで組立が行なえるため、作業時間の短縮を図ることも可能な構成となっている。
【００２９】
以上の構成において、このリモコン送信機を電子機器に向け、例えば、電源用や音量切換用等の所定の押圧部１２Ｂを押圧操作すると、これらに対応した赤外線のリモコン信号が制御回路６から電子機器へ送信され、これによって電子機器の電源の入／切や音量の増減等が遠隔操作によって行なわれる。
【００３０】
また、運転や録画等の開始時間や終了時間を設定する場合には、所定の押圧部１２Ｂを押圧操作して表示素子３上に時間を設定し、この後、これらの時間をリモコン信号として電子機器へ送信し記憶させることによって、所定の時間になると電子機器の運転や録画等が開始されたり、終了するように構成されている。
【００３１】
このように本実施の形態によれば、弾性を有する可動接点体１２に、水晶発振子６Ｃに当接する保持部１２Ｃを形成してリモコン送信機を構成することによって、接着剤等で水晶発振子６Ｃを配線基板２に固着する必要がないため、組立が容易で安価なリモコン送信機を得ることができるものである。
【００３２】
また、可動接点体１２や配線基板２を収納するケース１１下面に、可動接点体１２の保持部１２Ｃを押圧する突出部１１Ｃを形成することによって、水晶発振子６Ｃの保持をさらに確実に行なうことができる。
【産業上の利用可能性】
【００３３】
本発明によるリモコン送信機は、組立が容易で安価なものが得られるため、テレビやビデオ、エアコン等の各種電子機器の遠隔操作用として有用である。
【図面の簡単な説明】
【００３４】
【図１】本発明の一実施の形態によるリモコン送信機の断面図
【図２】同分解斜視図
【図３】従来のリモコン送信機の断面図
【図４】同分解斜視図
【符号の説明】
【００３５】
２  配線基板
２Ａ  導電部
２Ｂ  固定接点
３  表示素子
４  弾性接続体
６  制御回路
６Ａ  ＬＥＤ
６Ｂ  マイコン
６Ｃ  水晶発振子
１１  ケース
１１Ａ  開口孔
１１Ｂ  貫通孔
１１Ｃ  突出部
１２  可動接点体
１２Ａ  可動接点
１２Ｂ  押圧部
１２Ｃ  保持部
【図１】
2005110093.tif 000003
【図２】
2005110093.tif 000004
【図３】
2005110093.tif 000005
【図４】
2005110093.tif 000006